(57)【要約】【課題】家庭や宿泊施設などにおける布団や毛布などの面積の広いものを干す時にベランダやバルコニーを使ってもそれに接触して汚すことなく、かつ、効率よく乾燥させる事が簡便に安価に出来るその手段を提供する。【解決手段】本発明は前後一対のアーム部材でもってベランダの柵やバルコニーのフェンスなどの被設置物に取り付け設置ができる開口部をもつ物干し用補助部材であって、当該物干し用補助部材に少なくとも２箇所以上において洗濯竿などの長尺物を設置、取り付けが出来る竿設置部を設け、少なくともその内２箇所以上は開口部の上部端よりも上方に設けられるように構成した事を特徴とする物干し用補助部材。【選択図】      図２
2004305400.tif 000002
【特許請求の範囲】
【請求項１】
前後一対のアーム部材でもってベランダの柵やバルコニーのフェンスなどの被設置物に取り付け設置ができる開口部をもつ物干し用補助部材であって、当該物干し用補助部材に少なくとも２箇所以上において洗濯竿などの長尺物を設置、取り付けが出来る竿設置部を設け、少なくともその内２箇所以上は開口部の上部端よりも上方に設けられるように構成した事を特徴とする物干し用補助部材。
【請求項２】
前記開口部は固体や弾性体などで一体物にて形成された概略コの字状の前記アーム部材で構成され、もしくは前記アーム部材が個別に回動支点をもち、バネなどの弾性体の力でもって前記被設置物を挟み込んで弾性的に固着できるように構成され、もしくは前記アーム部材にメネジ部分が設けられ、それに挿嵌されるオネジ部材によって前記被設置物に固着出来るように構成されることを特徴とする請求項１に記載の物干し用補助部材。
【請求項３】
前記竿設置部は洗濯竿などの長尺物を設置できるような穴部や溝部などで構成され、さらに当該竿設置部は洗濯竿などの長尺物の設置をより確実にする方法としてバネや弾性体などの部材を用いて弾性的に固着、もしくはネジなどの部材を用いて固着できるように構成された事を特徴とする請求項１、請求項２に記載の物干し用補助部材。
【発明の詳細な説明】
【０００１】
【発明の属する技術分野】
この発明は、家庭や宿泊施設などにおける布団や毛布などの面積の広いものを干す時に用いられる物干しに関する。
【０００２】
【従来の技術】
従来の布団や毛布などの面積の広いものを干す時には、ベランダの柵やバルコニーのフェンスや物干し竿などに二つ折りにして掛けて干すのが一般的で、物干し用補助部材としては、例えば下記特許文献１などに示すものが周知である。
【０００３】
この布団干し具では布団を干した時に、内側の乾きを早くすること、及び、ベランダの柵やバルコニーのフェンスの側面との接触においての汚れの防止、及び風通しをよくする事を主眼として手摺、物干し竿などの長尺固定物に吊るすことができる基軸と外方に延びる第一の腕部を一体的に有し、各々複数の嵌合手段によって前記基軸に対称的に固定され得る二つの支持体とを備えていることを特徴としている。
【０００４】
また、前期第一の腕部は鉛直方向断面視において滑らかに湾曲して閉じた中空状をなしている事も特徴としている。
【０００５】
また、前期第一腕部の内側に水平方向を軸線とするリングが固着されている事も特徴としている。
【０００６】
また、前記支持体が、基軸と第一の腕部との間で外方に延びる第二の腕部を一体的に有する事も特徴としている。
【０００７】
【特許文献】
特開２０００−２０２１９１号
【０００８】
【発明が解決しようとする課題】
一般的に布団などを干す場合、ベランダの柵やバルコニーのフェンス、もしくは物干し竿などに二つ折りにして掛けて干す場合、このとき外側は早く乾くが内側は布団同士が密着して乾きが遅くなる。
【０００９】
上記従来の布団干し具では、その取り付けを手摺、物干し竿などの長尺固定物に吊るすことができる基軸と外方に延びる第一の腕部を一体的に有し、各々複数の嵌合手段によって前記基軸に対称的に固定され得る二つの支持体とを備えていることを特徴とし、布団干し具の基軸を物干し竿などの長尺固定物に吊るすことを一つの要件としており、ベランダの柵やバルコニーのフェンスなどが隙間の無い壁のようなものである場合には吊るすことが出来ない。
【００１０】
また、布団などを干す場合、ベランダの柵やバルコニーのフェンス、もしくは物干し竿などの上部やその側面、すなわち布団などが触れる部分の汚れを事前によく清掃する必要があり、物干し竿などは簡単に清掃できるが、ベランダの柵やバルコニーのフェンスなどの清掃は結構時間のかかる大変な作業となる。
【００１１】
ましてや、壁面がモルタルや土壁などで出来ていたり、その上部がセメントやコンクリート仕上げ、もしくは瓦などの複雑な形状で構成されたベランダの柵やバルコニーのフェンスなど、布団などが触れる部分の清掃は特に大変な労力となるが、上記従来の布団干し具では、ベランダの柵やバルコニーのフェンスなどの上部の汚れの布団などへの付着、すなわちベランダの柵やバルコニーのフェンスの一部が布団などに接触する事を防ぐ手立ては構成されていない。
【００１２】
また、上記従来の布団干し具では、当該基軸と外方に延びる第一の腕部を一体的に有し、各々複数の嵌合手段によって前記基軸に対称的に固定され得る二つの支持体とを備えていることを特徴している、となっているが、支持体すなわち布団を干す為の物干し竿などの長尺物を設置する部分は、上記基軸に取り付けられる二つの支持体である別部品として構成され、少なくとも３つの部品で構成されるとしているが、この部品の接合・組立はその布団干し具の使用者が任意に行うのが一般的であると考えられ、これもその接合・組立・ベランダの柵やバルコニーのフェンスへの設置、及びその取扱いに時間と手間がかかると考えられる。
【００１３】
また、もう一つの問題として一般的に布団を干すことが多い状態である一本の物干し竿などに二つ折りにして掛けて干す場合では、布団が１８０度にくっきりと折れて中の綿などが変形する事がある。
【００１４】
この発明は、上記従来技術の問題を解決し、物干し用補助部材をベランダの柵やバルコニーのフェンスへ簡単に設置できることや、布団などがベランダの柵やバルコニーのフェンス、特にその上部に接触せずにすむのでその清掃の必要がなく、また簡単に布団などを汚すことなく干せることや、その物干し用補助部材の構成もその使用者が接合・組立を行なうなどの複雑な作業を伴わず、簡単に設置できることや、布団を干した時に布団が１８０度にくっきりと折れて中の綿などが変形する事がなく、乾燥が早く効率よく布団などを干す物干し用補助部材を提供することを目的とする。
【００１５】
【課題を解決するための手段】
上記目的を達成するため、この発明の請求項１に係る物干し用補助部材は、前後一対のアーム部材でもってベランダの柵やバルコニーのフェンスなどの被設置物に取り付け設置ができる開口部をもつ物干し用補助部材であって、当該物干し用補助部材に少なくとも２箇所以上において洗濯竿などの長尺物を設置、取り付けが出来る竿設置部を設け、少なくともその内２箇所以上は開口部の上部端よりも上方に設けられるように構成した事を要旨としている。
【００１６】
この物干し用補助部材では、ベランダの柵やバルコニーのフェンスなどに上からまたいで設置できる前後一対のアーム部材でもってベランダの柵やバルコニーのフェンスなどの被設置物に取り付け設置ができる開口部をもち、ベランダの柵やバルコニーのフェンスなどが隙間のある柵であっても、隙間の無い壁のようなものであってもよく、当該物干し用補助部材に少なくとも２箇所以上において市販の洗濯竿などの長尺物を設置、取り付けが出来る穴部やＵ字溝部などを形成した竿設置部を設け、少なくともその内２箇所以上は開口部の上部端よりも上方に設けられるように構成することによりそこに干される布団などがベランダの柵やバルコニーのフェンスなどの上部に接触して汚れないようにし、必要とあればその他の竿設置部は布団などを壁面から遠ざけてその汚れの付着を防ぐことが出来るところに設置・構成される事により、さらに布団などの内側の通風のための空間を確保して表裏とも早く乾燥できるとともに、この物干し用補助部材の構成品に使用者が追加取り付けしなければならない別部品はなく、これ一つで以上のことを簡単に設置、安価で提供することを目的としている。
【００１７】
請求項２の発明は、前記開口部は固体や弾性体などで一体物にて形成された概略コの字状の前記アーム部材で構成され、もしくは前記アーム部材が個別に回動支点をもち、バネなどの弾性体の力でもって前記被設置物を挟み込んで弾性的に固着できるように構成され、もしくは前記アーム部材にメネジ部分が設けられ、それに挿嵌されるオネジ部材によって前記被設置物に固着出来るように構成されることを特徴とする請求項１に記載の物干し用補助部材を要旨としている。
【００１８】
これは、請求項１に記載の物干し用補助部材において、前記開口部は一つの部材で形成された一体物の固体や、柔軟性をもった例えば樹脂やゴム製などの弾性体などで構成された一体物で、ベランダの柵やバルコニーのフェンスなどの被設置物の形状にあった開口部を形成した概略コの字状の前記アーム部材で構成されたものや、もしくは前記アーム部材が洗濯物をはさむピンチのように個別にある前後一つずつのアーム部材に個別に回動支点をもち、バネなどの弾性体の力でもって前記被設置物を挟み込み、弾性的に固着できるように構成されたものや、もしくは第３番目のベース部材に夫々回動支点をもたせてそこに各々前後のアーム部材を設置して前記同様にバネなどの弾性体の力でもって前記被設置物を挟み込み、弾性的に固着できるように構成し、さらに幅の広い前記被設置物にも取り付け設置が出来ることや、前後一つずつのアーム部材の少なくともどちらか一方にメネジ部分が設けられ、それに挿嵌されるオネジ部材によって前記被設置物にしっかりとネジでもって固着出来るように構成されることなどを要旨としている。
【００１９】
請求項３の発明は、前記竿設置部は洗濯竿などの長尺物を設置できるような穴部や溝部などで構成され、さらに当該竿設置部は洗濯竿などの長尺物の設置をより確実にする方法としてバネや弾性体などの部材を用いて弾性的に固着、もしくはネジなどの部材を用いて固着できるように構成された事を特徴とする請求項１、請求項２に記載の物干し用補助部材を要旨としている。
【００２０】
これは、請求項１、請求項２に記載の物干し用補助部材において、前記竿設置部に設けられた穴部や溝部などに設置される洗濯竿などの長尺物をしっかりと固定できるようにその構成方法を示しており、洗濯竿などの長尺物をバネや弾性体などの部材を用いて弾性的に挟み込んで弾性的に固着、もしくはネジなどの部材を用いてしっかりと固着できるように構成されることなどを要旨としている。
【発明の実施の形態】
図１はこの発明の第一実施形態である物干し用補助部材を示す基本形態の正面図である。同図に示すように、この物干し用補助部材（Ａ）は前後一対のアーム部材（１）と、開口部（２）と、開口部（２）の上部端（２ａ）よりも上方に設けられた竿設置部（３）とを基本的な構成としている。
【００２１】
前後一対のアーム部材（１）とその開口部（２）はベランダの柵やバルコニーのフェンスなどの被設置物（５０）が特に一定サイズ、規格で出来ているものに対して図１のような形状で構成することができ、その前後一対のアーム部材（１ａ）、（１ｂ）の長さや、その幅、及び洗濯竿などの長尺物（６０）を設置、取り付けが出来る竿設置部（３ａ）、（３ｂ）の位置を決めて構成し、本図は竿設置部（３）の最小の構成単位である竿設置部（３ａ）、（３ｂ）の２個と、これ以外に任意の竿設置部（３ｃ）、（３ｄ）を設けている実施例を示す。
【００２２】
図２には実際の使用例として鉛直方向の断面図を示し、竿設置部（３ａ）、（３ｂ）、（３ｃ）、（３ｄ）には市販の一般的に供されている洗濯竿などの長尺物（６０）を設置し、それに布団など（７０）を干している状態を示している。このとき物干し用補助部材（Ａ）は少なくとも被設置物（５０）に二つ以上設置して用いられるが、長尺物（６０）が長くて布団など（７０）の重さでたわむ時はさらに１個を中央部などに配置してたわみを防ぐようにし、このようにして物干し用補助部材（Ａ）の設置数は状況によって複数個使用するのが望ましい。
【００２３】
このように物干し用補助部材（Ａ）は被設置物（５０）の上に必要数量設置し、長尺物（６０）を竿設置部（３）に設置し、その後布団など（７０）を干せばよく、何のわずらわしさも無く非常に簡単に設置できることがわかる。
【００２４】
さらに、従来の課題であった布団など（７０）の内側の乾燥をよくするための被設置物（５０）との両側面の空間（８２）や、その上部の空間（８１）などの通風用の空間（８０）の確保はその内側全面が確保されており、通風・乾燥においてはほとんど全ての問題点を解決しており、さらにまた、被設置物（５０）の側面（５２）はもちろんのこと、特にひどい汚れが付着しているその上部面（５１）が布団など（７０）に接触して汚すなどの問題点も解決することがわかり、従来しなければいけなかった被設置物（５０）のその上部面（５１）の清掃は不必要となり、物干し用補助部材（Ａ）に設置するいつも使っている洗濯竿などの長尺物（６０）を清掃するのみでよく、また布団など（７０）は少なくとも２本以上の長尺物（６０）に干すので１８０度に折れ曲がらず、多くとも９０度までしか曲がらず布団など（７０）の中綿などをいためる事がなく、これによっていつでも手間無く布団など（７０）を被設置物（５０）に物干し用補助部材（Ａ）を用いる事によりすばやく簡単に干すことができる。
【００２５】
図３はこの発明の第二実施形態である物干し用補助部材を示す図である。同図に示すように、この物干し用補助部材（Ａ）のアーム部材（１）は個別の前後一対のアーム部材（１ａ）と（１ｂ）とで構成され、さらにアーム部材（１ａ）と（１ｂ）は個別に回動支点（４）をもって互いに回動自在に構成され、それに内蔵されたバネなどの弾性体（５）の力でもって被設置物（５０）を挟み込んで弾性的に固着できるように構成されている状態を示しており、これにより被設置物（５０）の壁の厚さが一定でない場所にも、そしてガタなくしっかりと取り付けができる。
【００２６】
さらに、図４はアーム部材（１）のどちらか一方にメネジ部分（６）を設け、それに挿嵌されるオネジ部材（７）によって被設置物（５０）に固着出来るように構成した実施例を示し、被設置物（５０）への取り付けをより強固なものとしている状態を示す。
【００２７】
また、図５は被設置物（５０）の壁などが特に厚い場合や、上部に瓦（Ｃ）などが載っているなどの幅が広い被設置物（５０）の場合において、その部分をまたいで設置しなければならない時になされる形態を示していて、第３番目のベース部材（８）を個別の前後一対のアーム部材（１ａ）と（１ｂ）との間に設置し、夫々に回動支点（４ａ）、（４ｂ）をもって互いに回動自在に構成され、それに内蔵されたバネなどの弾性体（５ａ）、（５ｂ）の力でもって被設置物（５０）を挟み込んで弾性的に固着できるように構成している状態の実施例を示している。
【００２８】
図６はこの発明の第三実施形態である物干し用補助部材を示す図である。同図に示すように、この物干し用補助部材（Ａ）の竿設置部（３）は洗濯竿などの長尺物（６０）をしっかりと固定する方法として、竿設置部（３ａ）、（３ｂ）に押さえ部材（９ａ）、（９ｂ）を共通の回動支点（４ｃ）、（４ｄ）で互いに回動自在に構成され、それに内蔵されたバネなどの弾性体（５ｃ）、（５ｄ）の力でもって長尺物（６０）を弾性的に固着できるように構成している状態の実施例を示しており、布団など（７０）を干したりするときに長尺物（６０）が容易に竿設置部（３）から脱落しないようにした実施例を示している。
【００２９】
【発明の効果】
以上のように、本発明の物干し用補助部材によれば、ベランダの柵やバルコニーのフェンスなどの被設置物に上からまたいで取り付け設置ができる開口部をもち、当該被設置物が隙間のある柵であっても、隙間の無い壁のようなものであってもよく、市販の洗濯竿などの長尺物を設置、取り付けが出来る穴部やＵ字溝部などを形成した竿設置部において、少なくともその内２箇所以上は開口部の上部端よりも上方に設けられるように構成することによりそこに干される布団などが、被設置物の上部や側面部に接触することがなくなり、被設置物の汚れが布団などへ付着することを防ぐことができ、さらに布団などの内側の通風のための空間を内側全てにおいて確保しており、表裏とも早く乾燥できるとともに、布団が１８０度に折れ曲がって中の綿が変形する事も防止しており、さらに、前記開口部は一体物でできた柔軟性をもった例えば樹脂やゴム製などの弾性体などで構成されたもの、被設置物の形状にあったものや、もしくは前後一対のアーム部材が洗濯物をはさむピンチのようにバネなどの弾性体の力でもって被設置物を挟み込み、弾性的に固着できるように構成されたものや、もしくは第３番目のベース部材に夫々回動支点をもたせて前記同様にバネなどの弾性体の力でもって被設置物を挟み込むようにしてさらにより幅広の被設置物にも取り付け設置ができようにすることや、前記アーム部材の少なくともどちらか一方にメネジ部分を設け、それに挿嵌されるオネジ部材によって被設置物への取り付をより強固にし、また、竿設置部は洗濯竿などの長尺物の設置を穴部やＵ溝部に簡易的に設置するのが簡便だが、さらにより確実にする方法としてバネや弾性体などの部材を用いて当該長尺物を弾性的に挟み込んで固着、もしくはネジなどの部材を用いてしっかりと固着できるように構成されることなどにより、多岐にわたるベランダの柵やバルコニーのフェンスなど被設置物を利用して布団などを干す場合、当該物干し用補助部材を用いればその作業性・清潔性や速乾性など、従来の技術では見られない効果を発揮し、今まで手間のかかっていた布団などを干す作業の補助を当該物干し用補助部材の使用でもって従来のものより簡単に、より清潔に、より早い乾燥で、より安価で、より使いやすいものとして提供できるという効果がある。
【図面の簡単な説明】
【図１】この発明の第一実施形態を示し、（Ｂ）は側面図を示す。
【図２】この発明の実際の使用例として布団などを干した状態の鉛直方向の断面図を示す。
【図３】この発明の第二実施形態を示す。
【図４】この発明の第二実施形態を示す。
【図５】この発明の第二実施形態を示す。
【図６】この発明の第三実施形態を示し、（Ｄ）は本図（Ａ）の右上部分である竿設置部（３ｂ）周辺断面図の拡大図を示す。
【図７】この発明の第三実施形態の竿設置部（３）の実施例で、ネジ（１０）などの部材を用いて長尺物（６０）をさらに確実に固着できるようにした竿設置部（３）周辺断面図の実施例を示している。
【図８】この発明の第三実施形態の竿設置部（３）の実施例で、樹脂などの弾性部材（１１）を用いて長尺物（６０）を弾性固着できるようにした竿設置部（３）周辺断面図の実施例を示している。
【図９】この発明の実施形態の実施例で幅広の被設置物（５０）の上部がさらに瓦（Ｃ）の状態である時に、布団など（７０）を干している状態を示す。
【符号の説明】
１・・・アーム部材
２・・・開口部
３・・・竿設置部
４・・・回動支点
５・・・弾性体
６・・・メネジ部分
７・・・オネジ部材
８・・・ベース部材
９・・・押さえ部材
１０・・・ネジ
１１・・・弾性部材
５０・・・被設置物
６０・・・長尺物
７０・・・布団など
８０・・・通風用の空間
Ａ・・・物干し用補助部材
Ｃ・・・瓦
【図１】
2004305400.tif 000003
【図２】
2004305400.tif 000004
【図３】
2004305400.tif 000005
【図４】
2004305400.tif 000006
【図５】
2004305400.tif 000007
【図６】
2004305400.tif 000008
【図７】
2004305400.tif 000009
【図８】
2004305400.tif 000010
【図９】
2004305400.tif 000011